(57)【要約】      （修正有）【課題】貴重な水資源の無駄をなくすための水洗台の新しい構造を提供する。【解決手段】排水を受ける水受け槽とは異なる小型の水受け槽を別に設置し、吐出ヘッドから適温の温水が吐出されるまでの間の水を、この小型水受け槽に流すことにより、小型水受け槽から配水管を通して繋がる貯水機能部分に貯水することにより、水を再利用することが可能となる。【選択図】図１
0003156231.tif 000002
【実用新案登録請求の範囲】
【請求項１】
温水器、湯沸かし器を備え付けた水洗台において、洗浄等に使用された排水を受けるための水受け槽と、排水口、排水を流すための排水管を構造にもち、且つ、洗浄等に未使用の水を受けるための小型水受け槽と、排水口、配水管、それに取り付けられた貯水機能部分からなる水洗台。また洗浄等に使われた排水を受けるための水受け槽、排水を流すための排水口と、且つ、洗浄等に未使用の水を受けるための水受け槽、排水口が一体となった水洗台用陶器構造物を有する水洗台。
【考案の詳細な説明】
【技術分野】
【０００１】本案は、水洗台において、節水のための構造を有する水洗台に関する。
【背景技術】
【０００２】温水器、湯沸かし器を備え付けた水洗台は水洗に使用された排水を受ける水受け槽と、備え付けの蛇口、シャワー等で構成される。水の吐出はレバー等を操作することで、水が流れることにより温水器、給湯器の電源が入り、温水器、給湯器を通し水道水を常温から温水にし、配水管を通じて蛇口、シャワーヘッド等から温水が出る仕組みが一般的である。
【考案の開示】
【考案が解決しようとする課題】
【０００３】水洗を行う際に水洗台には備え付けられた蛇口、シャワーヘッドを使用するが、シャワー用レバー等を操作し水が流れることにより温水器または湯沸かし器等の電源が入ることから、水が温水器または湯沸かし器等で適温の温水になり、蛇口やシャワーヘッドから吐出するまでの間の水を洗面に未使用のまま排水口から下水道へと排出している。このことにより貴重な水資源が無駄になるという欠点があった。本案はこの貴重な水資源の無駄をなくするための水洗台の新しい構造を提供するものである。
【課題を解決するための手段】
【０００４】本案による水洗台は、使用された排水を受ける水受け槽と排水口、それに繋がる下水に繋がる排水管。また未使用の水を受ける小型水受け槽、その小型水受け槽に専用の排水口と配水管、配水管の先には貯水を目的とした貯水機能部分を有する構造である。
【考案の効果】
【０００５】この構造により、水洗実施者が人為的に蛇口、シャワーヘッドを小型水受け槽向けておき、シャワー用バルブの操作を行うとシャワーヘッドから温水器、給湯器を通して、水が適温の温水になり、シャワーヘッドから吐出するまでの間に流出する未使用の水資源を小型水受け槽で受け、専用の排水口と配水管を通し、貯水機能部分に貯水させる。【０００６】本案構造の水洗台は、これにより貯水機能部分に貯水された水を取り出し、利用することが可能となり、貴重な水資源の有効利用が可能となり経済的にも有効である。
【考案を実施するための最良の形態】
【０００７】本案を実施する最良の形態は、未使用の水を受ける小型水受け槽に、蛇口やシャワーヘッド等、給水口をもつヘッド部分が伸ばせるホース付き形状や、向きを変えるだけで簡単に、未使用の水を受ける小型水受け槽へ水を流すことができる形態であることが望ましい。また貯水機能部分はポリタンクのようなものであってもよい。また同様に貯水機能部分はバケツであってもよく、使用する水の量に応じてその形態、貯水可能量を設定することが可能であることが望ましく、貯水された水が、使用目的にあわせて簡単に取り出せるようになっていることが望ましい。貯水機能部分にはタンクの外側にさらに水受けの槽、下水道につながる排水口を設けることにより貯水機能部分が満水で、水が溢れた場合はそのまま下水道へと排出することができる。【０００８】使用された排水を受ける水受け槽、未使用の水を受ける小型水受け槽はステンレス製の一般的なものでもよい。また陶器製のものでもよく、未使用の水を受ける小型水受け槽は、使用された排水を受ける水受け槽と一体となった陶器製の構造物を用いてもよい。小型水受け槽は分離しておくことも可能であるが、シャワーや蛇口ヘッド等の給水部分の近くにあることが利用者にとって好ましい。【０００９】また、図３に示すように１つの貯水機能部分を設け、いくつかの異なる小型水受け槽から  伸びる配水管を途中で合併させることで、水を一箇所に集めることが可能となる。【００１０】シャワーや蛇口ヘッド等の吐出部と操作用のレバーは一体となっていてもよい。
【実施例】
【００１０】本案構造の水洗台を床屋用の洗髪台に使用した。洗髪用の水受け槽とは異なる小型の水受け槽と貯水機能部分として配水管の先にバケツを設けた。シャワーヘッドから吐出される水が適温のお湯の温度になるまでの間、小型の水受け槽へと水を流し、バケツへ貯水される仕組みとした。これらの水は貯水後、・・・・などに利用される。この貯水機能部分に長水される水は、一回の洗髪当たりで、約２．３〜２．５リットルの水が貯水される、１人に対し、２回洗髪を行うことから、５〜６リットルを貯水することができ、貴重な水資源の節約ができると同時に、上下水道料金の節約をすることも可能となる。
【産業上の利用可能性】
【００１１】産業上の利用としては、実施例に挙げたような床屋、美容院だけではなく、水を温水にして使用する水洗台すべてに適応できる。一般家庭の洗面、台所等の流し台、工場用の流し台、一般建造物の流し台や、水洗台等に応用することが可能である。
【図面の簡単な説明】
【００１１】
【図１】本案の排水を受ける水受け槽と、それと異なる小型の水受け槽を備え付け、排水口、操作用レバーを上面から見た平面図である。
【図２】本案の排水を受ける水受け槽と、それとは異なる小型の水受け槽を備え付け、吐出口、操作用のレバーを取り付けた水洗台を前面から示した平面図である。
【図３】本案の応用例であり、複数の水洗台と、１つの貯水機能部分を有する構造の平面図である。
【符号の説明】１  小型水受け槽
２  排水口
３  水受け槽
４  排水口
５  吐出ヘッド
６  操作レバー
７  架台
８  配水管
９  操作接続管
１０  温水器
１１  排水管
１２  配水管
１３  ポリタンク
【図１】
0003156231.tif 000003
【図２】
0003156231.tif 000004
【図３】
0003156231.tif 000005
【手続補正書】
【提出日】平成21年6月12日(2009.6.12)
【手続補正１】
【補正対象書類名】実用新案登録請求の範囲
【補正対象項目名】全文
【補正方法】変更
【補正の内容】
【実用新案登録請求の範囲】
【請求項１】
温水器、湯沸かし器を備え付けた水洗台において、洗浄等に使用された排水を受けるための水受け槽と、排水口、排水を流すための排水管を構造にもち、且つ、洗浄等に未使用の水を受けるための小型水受け槽と、排水口、配水管、それに取り付けられた貯水機能部分からなる水洗台。また洗浄等に使われた排水を受けるための水受け槽、排水を流すための排水口と、且つ、洗浄等に未使用の水を受けるための水受け槽、排水口が一体となった水洗台用陶器構造物を有する水洗台。
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
温水器、湯沸かし器を備え付けた水洗台において、洗浄等に使用された排水を受けるための水受け槽と、排水口、排水を流すための排水管を構造にもち、且つ、洗浄等に未使用の水を受けるための小型水受け槽と、排水口、配水管、それに取り付けられた貯水機能部分からなる水洗台であり、また洗浄等に使われた排水を受けるための水受け槽、排水を流すための排水口と、且つ、洗浄等に未使用の水を受けるための水受け槽、排水口が一体となった水洗台用陶器構造物を有する水洗台。